(57)【要約】【課題】インターネット上で不定期に更新される位置コンテンツをその都度リアルタイムで収集し、インデックス情報をデータベースに格納する仕組みと、Ｗｅｂブラウザで閲覧中の利用者にリアルタイムで位置コンテンツのインデックス情報を配信するシステムを提供する。【解決手段】利用者が地図に重ね合わせする位置コンテンツを位置コンテンツ収集サーバに要求した際、その要求を一旦キューに保留する。一方、ウェブログなどのＷｅｂサイトを保有する第三者が、位置コンテンツを記載してウェブログ・サーバに登録した際、位置コンテンツ収集サーバに更新通知を行うことで、その都度リアルタイムで当該記事収集し、位置を含むインデックス情報をデータベースに格納する。この更新が行われたことを契機として、キューに保留しておいた要求処理を再開し、最新の位置コンテンツのインデックス情報一覧を符号化した利用者に配信する。【選択図】図１
2009015807.tif 000002
【特許請求の範囲】
【請求項１】
位置データを含む位置コンテンツの配信を管理するローカルコンテンツ発信サーバと、デジタル地図の背景に位置コンテンツを表示閲覧する位置コンテンツ閲覧端末との中継を行う位置コンテンツ収集サーバにおける位置コンテンツ収集方式と、位置コンテンツ配信方式であって、位置コンテンツ収集サーバは、前記ローカルコンテンツ発信サーバから更新通知を受け、位置コンテンツのインデックス情報を取得する第１のステップと、前記位置コンテンツ閲覧端末からの位置コンテンツ取得要求に対し、当該位置コンテンツのインデックス情報を同期応答する第２のステップと、同じく前記位置コンテンツ閲覧端末からの新規位置コンテンツ取得要求に対し、新規に当該位置コンテンツが収集されたことを契機として位置コンテンツのインデックス情報を非同期応答する第３のステップを有することを特徴とする位置コンテンツ収集方法。
【請求項２】
前記位置コンテンツの収集は、前記ローカルコンテンツ発信サーバが発信する更新通知を契機として、位置コンテンツのインデックス情報を取得することを特徴とする請求項１に記載の位置コンテンツ収集方法。
【請求項３】
前記位置コンテンツ収集サーバで収集・管理される位置コンテンツは、ローカルコンテンツ発信サーバから配信される更新情報を基に、実空間位置座標と、位置コンテンツの参照情報を位置コンテンツインデックス情報として保存管理することを特徴とする請求項１に記載の位置コンテンツ収集方法。
【請求項４】
前記位置コンテンツインデックス情報は、コンテンツ実体を含まず、軽量コンパクトで、著作権法に触れずに再配信可能なデータ構成を特徴とする請求項１に記載の位置コンテンツ収集方法。
【請求項５】
前記ローカルコンテンツ発信サーバから配信される更新通知は、ハイパーテキスト転送プロトコル及びハイパーテキスト転送プロトコルの上層プロトコルであり、ウェブログの更新通知に採用され普及しているＸＭＬ−ＲＰＣプロトコルに基づくものであって、更新通知メッセージ・ボディに付された情報から位置コンテンツ発信者区分を識別し、前記位置コンテンツインデックス情報のメタデータ構成要素として保存することを特徴とする請求項１に記載の位置コンテンツ収集方法。
【請求項６】
前記位置コンテンツ収集サーバは、前記位置コンテンツ閲覧端末から位置コンテンツ検索パラメータを指定した、位置コンテンツ検索取得要求に対し、符号化位置コンテンツインデックス情報群を応答することを特徴とする位置コンテンツ配信方法。
【請求項７】
前記位置コンテンツ検索取得要求は、前記位置コンテンツ収集サーバに収集された、位置コンテンツインデックス情報に含まれる実空間位置座標範囲以外に前記請求項５に記載の位置コンテンツ発信者区分と、位置コンテンツが収集された実時間とを同時に指定できることを特徴とする請求項６に記載の位置コンテンツ配信方法。
【請求項８】
前記位置コンテンツ検索取得要求は、新規更新時応答を指定することができ、前記位置コンテンツ収集サーバは、検索取得要求を一旦キューイングし、当該位置コンテンツが収集されると同時に非同期応答を返信することができることを特徴とするリアルタイム集配信システム。
【発明の詳細な説明】
【技術分野】
【０００１】  本発明は、位置コンテンツ収集方法、及びその集配信システムに関する。特に、収集された位置コンテンツに含まれる位置情報に基づく配信システムに関する。
【背景技術】
【０００２】  位置に関する情報をリアルタイムで提供するサービスの代表例としてＶＩＣＳ情報がある。一方、インターネット上には刻一刻と更新される多種多様な位置コンテンツが多く存在しているものの、これら更新される情報を集約し、目的に応じて提供する仕組みが出来上がっていない。また、インターネット上のコンテンツを取得するプロトコルとしてはハイパーテキスト転送プロトコルが一般的であるが、利用者がサービス側に要求しなければ情報が取得できず、最新の情報を取得するには常に要求を出しつづける必要がある。
インターネット利用者が端末に依存することなく、Ｗｅｂブラウザとハイパーテキスト転送プロトコルを用いて、目的に応じて新鮮な情報をリアルタイムで受信する仕組みができれば、位置コンテンツの価値が高まり利用用途が拡大する。【０００３】
【特許文献１】  株式会社ＫＤＤＩ  発明の名称：地図表示システム、特許番号：特許番号３５０３３９７号
【非特許文献１】  Ｏｐｅｎ  Ｇｅｏｓｐａｔｉａｌ  Ｃｏｎｓｏｒｔｉｕｍ，Ｉｎｃ、ＷＭＳ（Ｗｅｂ  Ｍａｐ  Ｓｅｒｖｉｃｅ）、［ｏｎｌｉｎｅ］、インターネット＜ｈｔｔｐ：／／ｗｗｗ．ｏｐｅｎｇｅｏｓｐａｔｉａｌ．ｏｒｇ／ｓｔａｎｄａｒｄａ／ｗｍｓ＞
【非特許文献２】  ＵｓｅｒＬａｎｄ  Ｓｏｆｔｗａｒｅ，Ｉｎｃ  ＸＭＬ−ＲＰＣ、［ｏｎｌｉｎｅ］、インターネット＜ｈｔｔｐ：／／ｗｗｗ．ｘｍｌｒｐｃ．ｃｏｍ／＞
【非特許文献３】  Ｗ３Ｃ（Ｗｏｒｌｄ  Ｗｉｄｅ  Ｗｅｂ  Ｃｏｎｓｏｒｔｉｕｍ）、ＲＤＦ（Ｒｅｓｏｕｒｃｅ  Ｄｅｓｃｒｉｐｔｉｏｎ  Ｆｒａｍｅｗｏｒｋ）、［ｏｎｌｉｎｅ］、インターネット＜ｈｔｔｐ：／／ｗｗｗ．ｗ３．ｏｒｇ／ＲＤＦ／＞
【発明の開示】
【発明が解決しようとする課題】
【０００４】  位置データを含む情報の交換方式は標準化が進められているが、事実上の標準が定まっておらず、利用環境が一般に広く普及していないため、位置コンテンツの流通が促進されない。【０００５】  ウェブページの地図上に位置コンテンツをマッピングして表示する際には、過去のある瞬間の状態を表現することが一般的で、位置コンテンツが登録されて直ぐに地図上へ表示するためには、専用プログラムを介在させる、もしくは、地図表示を常に更新し続ける必要がある。
【課題を解決するための手段】
【０００６】  本発明の位置データ収集方法、および、リアルタイム集配信システムは、位置データを含む位置コンテンツを配信管理するローカルコンテンツ発信サーバと、デジタル地図の背景に位置コンテンツを表示閲覧する位置コンテンツ閲覧端末との中継を行う位置コンテンツ収集サーバにおける位置コンテンツ収集方式と、位置コンテンツ配信方式であって、位置コンテンツ収集サーバは、前記ローカルコンテンツ発信サーバから更新通知を受け、位置コンテンツを取得する第１のステップと、前記位置コンテンツ閲覧端末からの位置コンテンツ取得要求に対し、当該位置コンテンツインデックス情報を同期応答する第２のステップと、同じく前記位置コンテンツ閲覧端末からの新規位置コンテンツ取得要求に対し、新規に当該位置コンテンツが収集された事を契機にして位置コンテンツのインデックス情報を非同期応答する第３のステップを有することを特徴とする。【０００７】  本発明の位置コンテンツ収集方法における集配信システムの実装において、ローカルコンテンツ発信サーバが発信する更新通知を契機として位置コンテンツを収集することが好ましい。【０００８】  本発明の位置コンテンツ収集方法における集配信システムの実装において、位置コンテンツ収集サーバで収集・管理される位置コンテンツは、ローカルコンテンツ発信サーバから配信される更新情報を基に、実空間位置座標と、位置コンテンツの参照情報を位置コンテンツインデックス情報として保存管理することも好ましい。【０００９】  本発明の位置コンテンツ収集方法における集配信システムの実装において、位置コンテンツインデックス情報は、コンテンツ実体を含まず、軽量コンパクトで、著作権法に触れずに再配信可能なデータ構成とすることも好ましい。【００１０】  本発明の位置コンテンツ収集方法における集配信システムの実装において、ローカルコンテンツ発信サーバから配信される更新通知は、ハイパーテキスト転送プロトコル及びハイパーテキスト転送プロトコルの上層プロトコルであり、ウェブログの更新通知に採用され普及しているＸＭＬ−ＲＰＣプロトコルに基づくものであって、更新通知メッセージ・ボディに付された情報から位置コンテンツ発信者区分を識別し、前記位置コンテンツインデックス情報のメタデータ構成要素として保存することも好ましい。【００１１】  本発明の位置コンテンツ収集方法における集配信システムの実装において、位置コンテンツ収集サーバは、前記位置コンテンツ閲覧端末から位置コンテンツ検索パラメータを指定した、位置コンテンツ検索取得要求に対し、符号化位置コンテンツインデックス情報群を応答することも好ましい。【００１２】  本発明の位置コンテンツ収集方法における集配信システムの実装において、位置コンテンツ検索取得要求は、前記位置コンテンツ収集サーバに収集された、位置コンテンツインデックス情報に含まれる実空間位置座標範囲以外に位置コンテンツ発信者区分と、位置コンテンツが収集された実時間とを同時に指定できることも好ましい。【００１３】  本発明の位置コンテンツ収集方法における集配信システムの実装において、位置コンテンツ検索取得要求は、新規更新時応答を指定することができ、位置コンテンツ収集サー��は、検索取得要求を一旦キューイングし、当該位置コンテンツが収集されると同時に非同期応答を返信することができることを特徴として有する。
【発明の効果】
【００１４】  位置情報付きコンテンツ収集方法、及びリアルタイム集配信システムによれば、ウェブページ（多くはウェブログ）に位置情報を付加して更新情報を配信することにより、そのコンテンツページの参照機会を増やすことができ、コンテンツ作成者に位置情報を付加するための動機を与える。これにより、位置情報をインターネット上に位置コンテンツの流通量を増加させることができる。【００１５】  位置情報付きコンテンツ収集方法、及びリアルタイム集配信システムによれば、位置コンテンツ収集サーバが収集した位置コンテンツを検索取得することができる。これにより、位置コンテンツ利用者は、注目するエリアの位置コンテンツを公開標準フォーマットで入手することができ、簡単に二次配信する事ができる。これも、位置コンテンツの流通を促進する。【００１６】  位置情報付きコンテンツ収集方法、及びリアルタイム集配信システムによれば、位置コンテンツの発信とほぼ同時に配信される更新情報を契機に位置コンテンツの収集と位置コンテンツ検索非同期応答が行われる。これにより、位置コンテンツの準リアルタイム配信が可能となり、位置コンテンツの利用範囲を広げることができる。これも、位置コンテンツの流通を促進する。
【発明を実施するための最良の形態】
【００１７】  以下に、本発明の好適な実施形態を添付図面に基づいて説明する。【００１８】  図１は、本発明の最も単純なシステム構成図である。位置情報を閲覧する端末３００と位置情報を提供する位置コンテンツ収集サーバ１００で構成される部分と、ローカルコンテンツ発信サイト２００を利用してオリジナル・コンテンツを発信する携帯電話４００或いはパソコン５００で構成される。オリジナル・コンテンツに場所に関する情報を付与する為、ＧＰＳ機能付携帯電話により現在地の位置情報を取得し記載する流れと、パソコンで地図サービスを提供する地図情報提供サーバ６００を利用して当該地域の地図へのハイパーリンクや住所情報などを記載する流れが含まれる。それぞれの装置はインターネット網７００を利用して接続される。ローカルコンテンツ発信サーバ２００と位置コンテンツ収集サーバ１００は、ローカルコンテンツ発信サーバに新規コンテンツが登録された際に、リアルタイムで応答を行う。【００１９】  位置コンテンツ閲覧端末では、地図情報提供サーバ６００から得た地図を背景として位置コンテンツを重ね合わせて表示することが好ましい。【００２０】  インターネット空間の地図と位置コンテンツを重ね合わせる技術としては、（特許番号：特許番号３５０３３９７号、発明の名称：地図表示システム）がある。【００２１】  ローカルコンテンツ発信サーバ２００はウェブログやソーシャル・ネットワーキング・システム（ＳＮＳ）などの既に普及しているサービスを用いることが好ましい。【００２２】  図２は、本発明の仕組みを抽象化した機能モデル図である。地図閲覧者が継続的に更新情報を得るための一連の仕組みである、地図・位置コンテンツ表示する、記事を登録する、記事を収集する、コンテンツを更新するといった内容で構成される。この一連の仕組みは、位置情報付きコンテンツ収集方法、及びリアルタイム集配信システム１０００に包括される。【００２３】  図３は、本発明のシステム構成を説明するブロック図である。図１で示したシステム構成に加え、ローカルコンテンツ発信サイトに複数のローカルコンテンツ提供端末（携帯電話）４００，４０１，４００＋ｎ（ｎは自然数）と複数のローカルコンテンツ提供端末（パソコン）５００，５０１，５００＋ｎ（ｎは自然数）が接続された構成である。【００２４】  ローカルコンテンツ発信サーバ２００は複数のユーザに対応したサービスを提供することが好ましい。【００２５】  ローカルコンテンツ発信サーバ２００，２０１，２００＋ｎ（ｎは自然数）は複数存在することが好ましい【００２６】  図４は、本発明の機能構成のブロック図である。位置コンテンツ収集サーバ１００は、位置コンテンツ閲覧端末３００からのリクエストを処理する要求処理部１１と、リクエストを一旦保留しリクエストキューに管理するリクエスト制御部１２と、ローカルコンテンツ発信サーバ２００からリアルタイムにローカルコンテンツを収集するローカルコンテンツ収集部１３と、収集したローカルコンテンツから座標文字列や画像に埋め込まれた座標バイナリデータを抜き出す、或いは住所文字列から座標情報に変換する位置情報処理部１４と、位置座標とコンテンツのインデックス情報を位置コンテンツデー���ベース１０に登録し、登録後リクエスト制御部１２に蓄積されたリクエストを開放する登録処理部１５と、登録された位置コンテンツを検索する検索処理部１６と、位置コンテンツ閲覧端末３００へ位置コンテンツを配信する配信処理部１７から構成される。【００２７】  ローカルコンテンツ発信サーバ２００は、ローカルコンテンツ提供端末（携帯電話）４００及びローカルコンテンツ提供端末（パソコン）５００から送信されたローカルコンテンツをローカルコンテンツデータベース２０に登録する登録処理部２１と、登録した旨を位置コンテンツ収集サーバ１００に通知を行う更新通知部と、符号化した位置コンテンツ要約情報を配信する配信処理部から構成される。位置コンテンツの要求・配信はハイパーテキスト転送プロトコルに基づいて行われる。【００２８】  ローカルコンテンツ発信サーバ２００から位置情報収集サーバ１００に伝送される更新通知は、ハイパーテキスト転送プロトコル及びハイパーテキスト転送プロトコルの上層プロトコルであり、ウェブログの更新通知に採用され普及しているＸＭＬ−ＲＰＣプロトコルに基づいて行われる。【００２９】  符号化した位置コンテンツ要約情報はＲＤＦサイトサマリー（ＲＳＳ）形式の文書内に位置情報を付与することが好ましい。【００３０】  図５は、地図閲覧中にインターネットで更新された記事をリアルタイムで地図に展開する仕組みの流れを説明するシステムレベルのシーケンス図である。
まず、位置コンテンツ閲覧端末から、地図情報提供サーバ６００にリクエストを送信する。（ステップＳＴ１０）【００３１】  地図情報の要求（ステップＳＴ１０）は、ＷＭＳ（Ｗｅｂ  Ｍａｐ  Ｓｅｒｖｉｃｅ）などの標準化されたサービス・インターフェースを用いるのが好ましい。また、地図情報提供サーバ６００もＷＭＳに対応したサービスを提供することが好ましい。【００３２】  リクエストの内容に基づき、地図情報提供サーバ６００において、地図情報の検索を行う（ステップＳＴ１１）。位置コンテンツ閲覧端末３００に地図検索結果のレスポンスを返す（ステップＳＴ１２）。位置コンテンツ閲覧端末３００が受信した地図の表示を行う（ステップＳＴ１３）。【００３３】  位置コンテンツ閲覧端末３００における地図の表示は実座標情報に基づいて、画面上に配置され、位置コンテンツは地図上に階層化されて表示できることが好ましい。【００３４】  また、位置コンテンツ閲覧端末３００においては、位置コンテンツのみをＷｅｂページと非同期で取得できることが好ましい。【００３５】  位置コンテンツ閲覧端末３００から、位置コンテンツ収集サーバ１００にリクエストを送信する（ステップＳＴ１４）。位置コンテンツ収集サーバ１００の要求処理部１１においてリクエストが処理され、検索処理部１６において位置コンテンツデータベース１０に対して位置コンテンツの検索を行う（ステップＳＴ１５）。位置コンテンツ閲覧端末に検索結果のレスポンスを返す（ステップＳＴ１６）。位置コンテンツ閲覧端末３００が受信した地図の上層表示階層に位置コンテンツの表示を行う（ステップＳＴ１７）。現時点の地図情報、位置コンテンツを受信した後、最新情報の位置コンテンツを継続して受信する為、再度位置コンテンツ収集サーバ１００に位置コンテンツを要求する（ステップＳＴ１８）。位置コンテンツ収集サーバ１００の要求部処理部１１で受信した後、リクエスト制御部１２のリクエストキューにおいて一旦処理が保留される。位置コンテンツ発信サーバから位置コンテンツの更新通知を受けるまで配信を待機する間（ステップＳＴ１９）、位置コンテンツ閲覧端末３００では、レスポンスの待ち受け状態となる。【００３６】  リクエストキューに保留されているリクエストは同一のスレッドで管理されることが好ましい。【００３７】  ローカルコンテンツ提供端末４００・５００からローカルコンテンツ発信サーバ２００へローカルコンテンツの記事投稿を行う（ステップＳＴ２０）。ローカルコンテンツ発信サーバ２００の登録処理部２１においてローカルコンテンツデータベース２０に対して登録処理を行う（ステップＳＴ２１）。更新通知部２２が、位置コンテンツ収集サーバ１００に対して更新通知を行う。【００３８】  更新通知方法は［００２８］に記載している通りであるため省略する。【００３９】  更新通知を受けた位置コンテンツ収集サーバ１００は、更新通知のメッセージ・ボディに記載のＵＲＩに基づいて、ローカルコンテンツ発信サーバ２００に対してコンテンツ情報の要求を行う（ステップＳＴ２２）。ローカルコンテンツ発信サーバ２００では、要求を受けたＷｅｂサイトのＨＴＭＬコンテンツを返却する（ステップＳＴ２３）。取得したＵＲ��に指定されたＷｅｂコンテンツからでは位置に関するメタ情報が認識できないため、当該ＷＥＢコンテンツのヘッダ部に記載のＲＤＦサイトサマリーのＵＲＩを取得し（ステップＳＴ２５）、ローカルコンテンツ発信サーバ２００に対して、対象サイトのＲＤＦサイトサマリーの要求を行う（ステップＳＴ２６）。ローカルコンテンツ発信サーバ２００では、要求を受けたＷｅｂサイトのＲＤＦサイトサマリー・コンテンツを返却する（ステップＳＴ２７）。位置コンテンツ収集サーバの位置情報処理部１４において、ＲＤＦサイトサマリー・コンテンツに記載された内容から、座標文字列や座標バイナリデータから位置座標を抜き出す、或いは住所文字列から位置座標に変換するなど、座標情報の取得を行う（ステップＳＴ２８）。リクエストキューに待機させているリクエストに対して開放通知を行う（ステップＳＴ２９）。リクエストの開放に伴い、処理の再試行を行う（ステップＳＴ３０）。【００４０】  ［００３８］においてスレッドを開放し、保留を開放されたリクエストには新たなスレッドで処理を継続させることが好ましい。【００４１】  検索処理部１６から位置コンテンツデータベース１０へ検索処理を行う（ステップＳＴ３１）。【００４２】  検索処理を基に配信処理部１７において符号化した位置情報を生成し、位置コンテンツ閲覧端末３００に配信する（ステップＳＴ３２）。【００４３】  位置コンテンツ閲覧端末３００において最新の位置コンテンツを受信し、記載された座標を基に地図の上層表示階層に再表示を行う（ステップＳＴ３３）。【００４４】  図６は、図５における処理の流れのうち、位置コンテンツ閲覧端末における画面表示の遷移図である。（ａ）は、地図及びコンテンツ表示領域を含むＷｅｂページである。まず、地図情報提供サーバ６００に対して地図の要求を行い（ステップＳＴ１０）、地図の表示を行った結果が（ｂ）である（ステップＳＴ１３）。次に、位置コンテンツ収集サーバ１００に対して位置コンテンツの要求を行い（ＳＴ１４）、位置コンテンツを表示した結果が（ｃ）である（ステップＳＴ１７）。さらに、位置情報の要求を位置コンテンツ収集サーバ１００に対して行い（ステップＳＴ１８）、随時更新されるデータの待ち受けを行う。ローカルコンテンツ発信サーバ２００に更新があった場合、リアルタイムで更新情報を受信し、表示した結果が（ｄ）である（ステップＳＴ３３）。最新の情報が随時表示する仕組みが実現される。
【図面の簡単な説明】
【００４５】
【図１】本発明の最も単純なシステム構成図である。
【図２】本発明の仕組みを抽象化した機能モデル図である。
【図３】本発明のシステム構成を説明するブロック図である。
【図４】本発明における機能構成のブロック図である。
【図５】地図閲覧中にインターネットで更新された記事をリアルタイムで地図に展開する仕組みの流れを説明するシステムレベルのシーケンス図である。
【図６】位置コンテンツ閲覧端末における画面遷移図である。
【符号の説明】
【００４６】  １０００  位置情報付きコンテンツ収集方法、及びリアルタイム集配信システム
１００  位置コンテンツ収集サーバ
２００，２０１，・・・２００＋ｎ  ローカルコンテンツ発信サーバ
３００  位置コンテンツ閲覧端末
４００，４０１，・・・４００＋ｎ  ローカルコンテンツ提供端末（携帯電話）
５００，５０１，・・・５００＋ｎ  ローカルコンテンツ提供端末（パソコン）
６００  地図情報提供サーバ
７００  インターネット網
１０  位置コンテンツデータベース
１１  要求処理部
１２  リクエスト制御部
１３  ローカルコンテンツ収集部
１４  位置情報処理部
１５  登録処理部
１６  検索処理部
１７  配信処理部
２０  ローカルコンテンツデータベース
２１  登録処理部
２２  更新通知部
２３  配信処理部
【図１】
2009015807.tif 000003
【図２】
2009015807.tif 000004
【図３】
2009015807.tif 000005
【図４】
2009015807.tif 000006
【図５】
2009015807.tif 000007
【図６】
2009015807.tif 000008